(57)【特許請求の範囲】
【請求項１】
地下埋設用二重殻タンク上に設置されるプロテクターを支持するプロテクター支持構造であって、下端部が前記地下埋設用二重殻タンクの外殻に固定されているとともにその一部または全部が弾性体により形成された支持体と、前記支持体上に配設されて前記外殻と前記支持体との固定面を押さえる枠体とを備えるプロテクター支持構造。
【請求項２】
請求項１において、前記枠体の内側であって地下埋設用二重殻タンクの上面に設けられた固定台に固定されるとともに前記枠体を押さえる押さえ部材を備えるプロテクター支持構造。
【請求項３】
請求項１または請求項２において、前記支持体の上端部がプロテクター底板に固定されるプロテクター支持構造。
【請求項４】
請求項２において、前記支持体の上端部がプロテクター底板に固定され、かつ前記プロテクター底板を支持しつつ前記押さえ部材に固定された底板支持部材を備えるプロテクター支持構造。
【請求項５】
請求項１から請求項４のいずれかにおいて、前記弾性体が環状に形成され、かつ三次元方向に自由度を有するプロテクター支持構造。
【請求項６】
請求項１から請求項５のいずれかに記載のプロテクター支持構造を備える地下埋設用二重殻タンク。
【発明の詳細な説明】
【技術分野】
【０００１】
本発明は、地下埋設用二重殻タンク上に設置されるプロテクターを支持するためのプロテクター支持部材、プロテクター支持構造、およびこれを備えた地下埋設用二重殻タンクに関し、より詳細には、地下埋設用二重殻タンク上に設置されるプロテクターにかかる地中応力により、あるいはプロテクター自体の重荷により地下埋設用二重殻タンクの外殻が破損することを防止するためのプロテクター支持部材、プロテクター支持構造、およびこれを備えた地下埋設用二重殻タンクに関する。
【背景技術】
【０００２】
ガソリンスタンド等におけるガソリンや軽油等の液体危険物は、二重殻タンクに貯留され、地下に埋設されている。この二重殻タンクは外殻と内殻とを有しており、例えば特開平８−２８２７８２号公報に開示されている、外殻がFRP（Fiberglass Reinforced Plastics）製であるとともに内殻が鋼製である、いわゆるSF二重殻タンク（特許文献１）や、例えば特開平１０−５９４７６号公報に開示されている、外殻と内殻とがFRP製である、いわゆるFF二重殻タンク（特許文献２）等が用いられている。
【０００３】
二重殻タンクの液相部においては、気相部とは異なり、外殻と内殻との間に密閉された間隙が形成されている。タンク内の液体危険物が漏洩した場合や、地下水等が浸入した場合には、これらがこの間隙に浸透することから、浸透した液体危険物や地下水等を検知するため、タンク内を垂直方向にタンク外部から間隙下部まで貫通した漏洩検知管が形成されて、この漏洩検知管のタンク外部における開口位置には漏洩検知器が、間隙における開口位置には漏洩検知センサーが、各々配設されている。
【０００４】
また、二重殻タンクには、注油管や吸油管、通気管、液面計取付ノズル等の各種ノズルが、垂直方向に二重殻を貫通して備えられており、これらを取り扱うための外部作業スペースとしてプロテクターがタンク上に設置されている。従来、このプロテクターの設置に際しては、タンク上面とプロテクター底板との接面部から雨水等が浸入するのを防止するため、タンク上面にプロテクターを設置した後にタンク上面からプロテクター側面にかけて、FRPでコーティングされている。
【０００５】
【特許文献１】特開平８−２８２７８２号公報
【特許文献２】特開平１０−５９４７６号公報
【発明の開示】
【発明が解決しようとする課題】
【０００６】
しかしながら、地下に埋設されたプロテクターには応力がかかるうえ、マンホールを備えるプロテクター自体の重荷がタンク上面とプロテクター底板との接面部にかかるため、FRPによってコーティングされたこの接面部に剥離が生じ、この剥離によりFRP製である外殻に剥離が生じて、液相部における外殻と内殻との間隙にこの剥離が達してしまい、その結果、間隙の密閉状態が解かれて雨水等の浸入が起こり、漏洩検知センサーが反応してしまうという問題がある。
【０００７】
本発明は、このような問題点を解決するためになされたものであって、地下埋設用二重殻タンク上に設置されるプロテクターにかかる応力により、あるいはプロテクター自体の重荷により地下埋設用二重殻タンクの外殻が破損することを防止するためのプロテクター支持部材、プロテクター支持構造、およびこれを備えた地下埋設用二重殻タンクを提供することを目的としている。
【課題を解決するための手段】
【０００８】
本発明に係るプロテクター支持部材は、下端部が地下埋設用二重殻タンクの外殻に固定され、かつ地下埋設用二重殻タンク上に設置されるプロテクターを支持するプロテクター支持部材であって、その一部または全部が弾性体により形成されている。この弾性体は、環状に形成され、かつ三次元方向に自由度を有する態様であってもよい。
【０００９】
本発明に係るプロテクター支持構造は、地下埋設用二重殻タンク上に設置されるプロテクターを支持するプロテクター支持構造であって、下端部が地下埋設用二重殻タンクの外殻に固定されているとともにその一部または全部が弾性体により形成された支持体と、支持体上に配設されて外殻と支持体との固定面を押さえる枠体とを備えている。
【００１０】
本発明において、枠体の内側であって地下埋設用二重殻タンクの上面に設けられた固定台に固定されるとともに枠体を押さえる押さえ部材を備える態様であってもよく、あるいは、支持体の上端部がプロテクター底板に固定される態様であってもよい。
【００１１】
また、本発明において、前記押さえ部材を備える場合は、支持体の上端部がプロテクター底板に固定され、かつプロテクター底板を支持しつつ押さえ部材に固定された底板支持部材を備える態様であってもよい。
【００１２】
さらに、本発明において、弾性体が環状に形成され、かつ三次元方向に自由度を有する態様であってもよい。
【００１３】
次に、本発明に係る地下埋設用二重殻タンクは、本発明に係るプロテクター支持構造を備えている。
【発明の効果】
【００１４】
本発明によれば、地下埋設用二重殻タンク上に設置されるプロテクターにかかる応力により、あるいはプロテクター自体の重荷により地下埋設用二重殻タンクの外殻が破損することを防止することができる。
【発明を実施するための最良の形態】
【００１５】
本発明に係るプロテクター支持部材は、その下端部が地下埋設用二重殻タンクの外殻に固定されている。本発明に係るプロテクター支持部材が用いられるプロテクターは、地下埋設用二重殻タンク上に設置されるものであれば特に限定されず、適宜選択することができる。また、本発明において「固定」とは、例えば、接着や固着、掛止、止着、粘着等のように、定まった位置に動かないようにする態様のすべてを含む趣旨である。
【００１６】
また、本発明に係るプロテクター支持部材は、その一部または全部が弾性体により形成されている。
【００１７】
本発明における弾性体としては、例えば、天然ゴムや合成ゴム等を選択することができる。合成ゴムとしては、例えば、アクリルゴムやアクリロニトリルブタジエンゴム、イソプレンゴム、ウレタンゴム、エチレンプロピレンゴム、エピクロルヒドリンゴム、クロロプレンゴム、シリコーンゴム、スチレンブタジエンゴム、ブタジエンゴム、フッ素ゴム、ポリイソブチレン等を挙げることができる。
【００１８】
また、本発明に係るプロテクター支持部材の一部が弾性体により形成されている例としては、弾性体の上端および下端の少なくともいずれか一方が他の材質の一端と連接されてプロテクター支持部材が形成される場合や、弾性体の上端および下端の少なくともいずれか一方が他の材質の一端と連接されるとともに他の材質の他端がさらに弾性体と連接されてプロテクター支持部材が形成される場合等を挙げることができる。この場合の「他の材質」は適宜選択することができるが、例えば、鉄やアルミニウム等の金属、鋼等の合金、ポリマーアロイ等の樹脂等を挙げることができる。
【００１９】
また、本発明における弾性体は、環状に形成され、かつ三次元方向に自由度を有するものを選択することができる。
【００２０】
ここで、本発明において「環状」とは、環であればその外周形状や内周形状、縦断面形状は特に限定されず、例えば、外周形状や内周形状が略矩形や略円形、略楕円形等である場合や、縦断面の形状が波形や略Ｓ字形状、略己字形状、略Ｉ字形状、略Ｊ字形状、Ｕ字形状、略楕円形状等である場合を挙げることができる。
【００２１】
また、本発明において、「三次元方向に自由度を有する」とは、弾性によってｘｙｚ軸三次元全方向に対して可動という趣旨であり、例えば、弾性によってｘｙｚ軸三次元全方向に対して伸縮、傾斜、変形等する場合が挙げられる。
【００２２】
次に、本発明に係るプロテクター支持構造は、下端部が地下埋設用二重殻タンクの外殻に固定されているとともにその一部または全部が弾性体により形成された支持体を備えている。すなわち、本発明における支持体としては、本発明に係るプロテクター支持部材が用いられる。そのため、本発明に係るプロテクター支持部材における弾性体は、本発明に係るプロテクター支持構造における弾性体と同様である。
【００２３】
また、本発明に係るプロテクター支持構造は、支持体上に配設されて外殻と支持体との固定面を押さえる枠体を備えている。
【００２４】
本発明における枠体は、支持体上に配設されて外殻と支持体との固定面を押さえることができれば、その形状や材質等は特に限定されず、適宜選択することができるが、形状は本発明における支持体の外周形状や内周形状に応じたものであることが好ましい態様であり、例えば、外周形状や内周形状が略矩形や略円形、略楕円形等である場合を挙げることができる。また、材質としては、例えば、鉄やアルミニウム等の金属、鋼等の合金、ポリマーアロイ等の樹脂等を挙げることができる。
【００２５】
また、本発明に係るプロテクター支持構造は、枠体の内側であって地下埋設用二重殻タンクの上面に設けられた固定台に固定されるとともに枠体を押さえる押さえ部材を適宜備えてもよい。
【００２６】
ここで、本発明における固定台は、地下埋設用二重殻タンクの上面に設けられて押さえ部材を固定することができるものであれば特に限定されないが、例えば、金属製や合金製、樹脂製等のブロックを用いて形成したものやクランプ等を挙げることができる。なお、本発明における「台」には、例えばブロックのように相当の高さを有するもののみならず、例えば平板のようにほとんど高さを有さないものも含む趣旨である。
【００２７】
また、本発明における押さえ部材は、固定台に固定されるとともに枠体を押さえるものであれば、その形状や材質等は限定されず、適宜選択することができるが、形状は、タンクの形状に応じたものであることが好ましい態様であり、例えば、棒状でかつタンク上面の弧に応じて一または複数の折曲を有するような形状を挙げることができ、また、材質としては、例えば、鉄やアルミニウム等の金属、鋼等の合金、ポリマーアロイ等の樹脂等を挙げることができる。また、枠体と押さえ部材とは、別体として構成してもよいし、一体的に構成してもよい。
【００２８】
さらに、本発明に係るプロテクター支持構造は、支持体の上端部がプロテクター底板に固定された態様であってもよく、その固定方法は特に限定されないが、例えば、接着剤を用いて支持体上端部とプロテクター底板を接着することにより固定する方法や、プロテクター底板に固定台を形成して支持体上端部を固定台に固定する方法、プロテクター底板上にクランプを配設して支持体上端部をクランプに固定する方法等を挙げることができる。
【００２９】
なお、本発明におけるプロテクター支持構造が押さえ部材を備える態様の場合、支持体の上端部がプロテクター底板に固定され、かつプロテクター底板を支持しつつ押さえ部材に固定された底板支持部材を適宜備えてもよい。
【００３０】
ここで、本発明における底板支持部材は、プロテクター底板を支持しつつ押さえ部材に固定されるものであれば特に限定されないが、例えば、ボルトやナット、座金、アンカー、フック、ジャックル、バックル、プレート、ひねり金物、平金物、金折金物、短冊金物等を適宜選択しまたは組み合わせて底板支持部材を構成することができる。
【００３１】
本発明において、支持体の上端部がプロテクター底板に固定される態様やプロテクター底板を支持する態様は、底板支持部材が押さえ部材に固定されていれば特に限定されないが、例えば、支持体上端部とプロテクター底板との固定部と押さえ部材とが、底板支持部材により連接されてプロテクター底板が支持される態様や、支持体上端部が固定されたプロテクター底板に直接底板支持部材の一方の端部が固定されるとともに他方の端部が押さえ部材に固定されることにより、プロテクター底板と押さえ部材とが連接されてプロテクター底板が支持される態様等を挙げることができる。
【００３２】
次に、本発明に係る地下埋設用二重殻タンクは、本発明に係るプロテクター支持構造を備えている。本発明において地下埋設用二重殻タンクは、外殻がFRP製であれば特に限定されず、例えば公知のSF二重殻タンクやFF二重殻タンク等を適宜選択することができる。
【００３３】
以下、本発明に係る地下埋設用二重殻タンク用のプロテクター支持部材、プロテクター支持構造、およびこれを備えた地下埋設用二重殻タンクの実施形態について図面を用いて説明する。図１は、本発明に係るプロテクター支持構造の第一実施形態を示すタンク長手方向に垂直な断面拡大図であり、図２は、本発明に係るプロテクター支持構造の実施形態を示すタンク上面図、図３は、第一実施形態に係るプロテクター支持構造であって異なる態様のプロテクター支持体である場合を示すタンク長手方向に垂直な断面拡大図、図４は、本発明に係るプロテクター支持構造の第二実施形態を示すタンク長手方向に垂直な断面図、図５は、本発明に係るプロテクター支持構造の第三実施形態を示すタンク長手方向に垂直な断面図、図６は、本発明に係るプロテクター支持構造の第三実施形態を示すタンク長手方向断面図、図７は、本発明に係るプロテクター支持構造の第四実施形態を示すタンク長手方向に垂直な断面拡大図、図８は、本発明に係るプロテクター支持構造の第五実施形態を示すタンク長手方向に垂直な断面拡大図、図９は、本実施形態に係るプロテクター支持構造を備えた地下埋設用二重殻タンクのプロテクター設置後のタンク上部拡大図である。
【００３４】
第一実施形態に係るプロテクター支持構造２ａは、図１に示すように、主に、本発明に係るプロテクター支持部材である支持体３と、地下埋設用二重殻タンク１の外殻１２と支持体３との固定面を押さえる枠体２１と、枠体２１を押さえる押さえ部材２２と、プロテクター底板２６と、押さえ部材２２に固定されるとともにプロテクター底板２６を支持する底板支持部材２５とを備え、押さえ部材２２の端部と支持体３とが対向する支持体３の波形部分には、押圧付加保護板２８が配設されている。以下、各構成について詳細に説明する。
【００３５】
本実施形態における支持体３は本実施形態におけるプロテクター支持部材である。その全体が一体となった弾性体であるクロロプレンゴム｛デュポンエラストマー社；ネオプレン（登録商標）｝で形成され、図１および図２に示すように、外周形状と内周形状とが矩形であって縦断面形状が波形であるとともに平面形状が環状である、通称エキスパンションゴムと呼ばれるものが用いられている。また、支持体３の下端部は、地下埋設用二重殻タンク１の気相部１３の外殻１２と接着剤によって接着されて固定されており、支持体３の上端部は、鋼製のプロテクター底板２６に配設された底板クランプ２７によって固定されている。ここで、図３に示すように、第一実施形態に係るプロテクター支持構造２ａにおいて、支持体３の縦断面形状が略Ｓ字形状であるものが用いられてもよい。なお、支持体３の下端部が接着剤により固定されているが、仮止めであってもよい。
【００３６】
次に、本実施形態における枠体２１は、図１に示すように、外周形状と内周形状とが矩形であるとともに平面形状が枠状である平鋼製の枠体である。また、図２または図９に示すように、地下埋設用二重殻タンク１の稜線が枠体２１の長手方向中心線とほぼ重なるように、かつ支持体３の下端部と外殻１２との固定面を押さえるように配設されている。この枠体２１によって支持体３の固定面が外殻１２に押圧されるため、条件によっては前記固定面の接着を仮止め程度にしたり、接着剤を使用しなくてもよい場合もある。
【００３７】
また、本実施形態における押さえ部材２２は、図１および図２に示すように、全体形状が棒状であるとともに、その腕部には地下埋設用二重殻タンク１の上面の弧に沿わせるための折曲が形成されている鋼製の部材であり、その寸法は枠体２１の両長辺枠部分を押さえることが可能な全長となるように、すなわち枠体２１の短辺の長さとほぼ同じ全長となるように形成される。押さえ部材２２の中央部は、地下埋設用二重殻タンク１の内殻１１のほぼ稜線付近に鋼製ブロックを溶接させることにより形成された固定台２３に、固定ボルト２４を螺着させることによって固定されている。また、固定台２３の側面から内殻１１と固定台２３との溶接部分を経た外殻１２にかけては、外殻１２の材質と同じFRPがライニングされている。さらに、押さえ部材２２の両端部が枠体２１の長辺枠部分を押さえた状態で、押さえ部材２２が固定台２３に固定されている。
【００３８】
また、本実施形態における押圧付加保護板２８は、図１に示すように、支持体３の波形部分に嵌合するよう、平鋼板を湾曲させて形成されている。この押圧付加保護板２８は、押さえ部材２２の端部が接する支持体３の波形部分に配設されることにより、押さえ部材２２の端部が押圧付加保護板２８を支持体３の波形部分に押さえつけるため、前記嵌合が保たれる。なお、必要に応じて、支持体３の波形部分と押圧付加保護板２８とを、接着剤を用いて接着させる等としてもよい。
【００３９】
また、本実施形態におけるプロテクター底板２６は平鋼板で形成されており、図１および図２に示すように、支持体３の外周に合わせて内周が矩形に切り取られて内側へ折り曲げられた、平面形状が枠状のものである。またプロテクター底板２６の上面には底板クランプ２７が配設され、支持体３の上端部が固定されている。
【００４０】
さらに、本実施形態における底板支持部材２５は、図１に示すように、平金物とボルトとナットとから構成され、Ｌ字状に形成されている。すなわち、プロテクター底板２６上に配設された底板クランプ２７の押さえ部分を、固定台２３方向へ延伸させるように平金物を連接させ、この平金物の端部にボルトを上下方向に螺挿させ、枠体２１の長辺の枠部分を押さえている押さえ部材２２の端部に螺着させる。これにより、押さえ部材２２の端部と底板クランプ２７とを連接させ、プロテクター底板２６を支持している。
【００４１】
第二実施形態に係るプロテクター支持構造２ｂは、図４に示すように、主に、支持体３と、枠体２１と、押さえ部材２２と、プロテクター底板２６と、押圧付加保護板２８とを備えている。これら支持体３と、枠体２１と、押さえ部材２２と、プロテクター底板２６と、押圧付加保護板２８とは、第一実施形態におけるものと同様である。すなわち、本実施形態におけるプロテクター支持構造２ｂは、底板支持部材を備えない態様である。
【００４２】
第三実施形態に係るプロテクター支持構造２ｃは、図５および図６に示すように、主に、支持体３と、枠体２１と、プロテクター底板２６とを備えている。これら支持体３と、枠体２１と、プロテクター底板２６とは、第一実施形態におけるものと同様である。すなわち、本実施形態におけるプロテクター支持構造２ｃは、押さえ部材と底板支持部材とを備えない態様である。
【００４３】
第四実施形態に係るプロテクター支持構造２ｄは、図７に示すように、主に、本発明に係るプロテクター支持部材であって第一実施形態とは異なる態様の支持体３と、枠体２１と、押さえ部材２２と、プロテクター底板２６と、底板支持部材２５とを備えている。枠体２１と、押さえ部材２２と、プロテクター底板２６と、底板支持部材２５とは、第一実施形態におけるものと同様である。
【００４４】
本第四実施形態における支持体３について説明する。本実施形態における支持体３は、本実施形態におけるプロテクター支持部材である。図７に示すように、支持体３は弾性体３１の下端部に固定用のＬ字平鋼板３２を備えている。つまり、弾性体３１の下端とＬ字平鋼板３２とが接着剤で接着されることで、支持体３が一体的に形成されている。また、支持体３の全体の外周形状と内周形状とは矩形であって、縦断面形状が略Ｓ字形状であるとともに平面形状が環状となっている。但し、弾性体３１は、クロロプレンゴム｛デュポンエラストマー社；ネオプレン（登録商標）｝を用いて縦断面形状が外側に湾曲されて略Ｌ字形状に形成された、通称エキスパンションゴムと呼ばれるものが用いられている。支持体３の下端部は、地下埋設用二重殻タンク１の気相部１３の外殻１２と接着剤によって接着されて固定されており、支持体３の上端部は、鋼製のプロテクター底板２６に配設された底板クランプ２７によって固定されている。
【００４５】
第五実施形態に係るプロテクター支持構造２ｅは、図８に示すように、主に、本発明に係るプロテクター支持部材であって第一実施形態および第四実施形態とは異なる態様の支持体３と、枠体２１と、押さえ部材２２と、プロテクター底板２６と、底板支持部材２５とを備えている。枠体２１と、押さえ部材２２と、プロテクター底板２６と、底板支持部材２５とは、第一実施形態におけるものと同様である。
【００４６】
本実施形態における支持体３について説明する。本実施形態における支持体３は、本実施形態におけるプロテクター支持部材である。図８に示すように、支持体３は、弾性体３１の上下両端部に固定用の金属部材をそれぞれ備えている。具体的には、弾性体３１の上端には、平鋼板３３が平鋼板クランプ３４で固定されているとともに、弾性体３１の下端には、Ｌ字平鋼板３２がＬ字平鋼板クランプ３５で固定されている。そして、前記Ｌ字平鋼板３２が固定弾性体３６を介して外殻１２に接着剤で接着されることで、平鋼板３３と弾性体３１とＬ字平鋼板３２と固定弾性体３６とが連接されて支持体３として一体的に形成されている。
【００４７】
また、支持体３の全体の外周形状と内周形状とは矩形であって、縦断面形状が略Ｓ字形状であるとともに平面形状が環状となっている。平鋼板３３とＬ字平鋼板３２との間に連接された弾性体３１は、クロロプレンゴム｛デュポンエラストマー社；ネオプレン（登録商標）｝を用いて縦断面形状が内側と外側にそれぞれ湾曲部分を備えるように形成された、通称エキスパンションゴムと呼ばれるものが用いられている。また、支持体３の下端部である固定弾性体３６は、クロロプレンゴム｛デュポンエラストマー社；ネオプレン（登録商標）｝を用いて矩形枠板状に形成されたものであり、地下埋設用二重殻タンク１の気相部１３の外殻１２と接着剤によって接着されて固定されている。また、支持体３の上端部である平鋼板３３は鋼製のプロテクター底板２６に溶接されて固定されている。
【００４８】
次に、本実施形態に係るプロテクター支持構造２ａを備えた地下埋設用二重殻タンク１について説明する。本実施形態に係るプロテクター支持構造２ａを備えた地下埋設用二重殻タンク１は、図９に示すように、支持体３の全体が弾性体であって縦断面形状が略Ｓ字形状であるものが用いられているが、これに限られず、例えば、略己字形状、略Ｉ字形状、略Ｊ字形状、Ｕ字形状、略楕円形状等であってもよく、また、例えば、第四実施形態や第五実施形態における支持体３のように、支持部材の一部が弾性体により形成されているものが用いられてもよい。
【００４９】
以下、本実施形態に係るプロテクター支持部材、プロテクター支持構造２ａ，２ｂ，２ｃ，２ｄ，２ｅ、および地下埋設用二重殻タンクの作用について、図面を用いて詳細に説明する。
【００５０】
図１および図２に示すように、地下埋設用二重殻タンク１の稜線付近に備えられた注油管や吸油管、通気管、液面計取付ノズル等の各種ノズルのフランジ１４が収まるようにプロテクター４が配設される。図２に示すように、矩形枠状のプロテクター底板２６の内周縁に沿う大きさを備える環状の支持体３を地下埋設用二重殻タンク１に固定する。図１に示すように、支持体３の下端部を接着剤を用いて外殻１２に密着させ固定する。
【００５１】
次に、図１および図２に示すように、枠体２１を支持体３の下縁部に沿って重ねる。枠体２１は相当の重量を有しているため、支持体３の下端部と外殻１２との固定面を押さえることができ、当該枠体２１を配設することによって支持体３の固定度が増す。また、支持体３は一体的な環状構造を有しているため、外部からプロテクター４内への雨水や地下水等の浸入を効果的に防止することができる。
【００５２】
本実施形態においては、支持体３の下端部と地下埋設用二重殻タンク１の気相部１３の外殻１２とが接着剤で接着されて固定された後に枠体２１が配設されているが、外殻１２と支持体３との固定度をより増したいという場合、例えば、内殻１１にクランプ（図示しない）を溶接した後、このクランプの側面から内殻１１と前記クランプとの溶接部分を経た外殻１２にかけてFRPをライニングして、支持体３の下端部を前記クランプに固定した後に枠体２１を配設してもよい。また、支持体３の下端が鋼板で形成されている場合は、内殻１１に直接支持体３の下端部を溶接し、支持体３の下端部から内殻１１と支持体３の下端部との溶接部分を経た外殻１２にかけてFRPをライニングして、支持体３の下端部を前記クランプに固定した後に枠体２１を配設する方法等を適宜選択することができる。
【００５３】
また、所望により、押さえ部材２２を配設することができる。押さえ部材２２は、固定台２３を形成してこれに固定することによって配設する。固定台２３は、図１および図２に示すように、地下埋設用二重殻タンク１の内殻１１のほぼ稜線付近に沿って各種ノズルのフランジ１４の邪魔にならない位置に、複数の鋼製ブロックを溶接することによって設ける。そして、この固定台２３の側面から内殻１１と固定台２３との溶接部分を経た外殻１２にかけて、FRPをライニングする。
【００５４】
押さえ部材２２は、図１および図２に示すように、複数の固定台２３のそれぞれにその中央部を固定ボルト２４で螺着する。これにより、押さえ部材２２の両端部が枠体２１の長辺部分を押さえるように配設される。押さえ部材２２の両端部に押さえられた枠体２１は、外殻１２と支持体３との固定面を押さえているため、押さえ部材２２が配設されることによって外殻１２と支持体３との固定度が大幅に増す。
【００５５】
なお、枠体２１の配設によって、外殻１２と支持体３との固定度が十分であると判断される場合には、固定台を形成して押さえ部材を配設する必要はなく、適宜選択することができる。さらに、押さえ部材２２を配設した後であっても、その後に外殻１２と支持体３との固定度が十分であると判断される場合には、固定台２３と押さえ部材２２とを撤去することができる。
【００５６】
また、押さえ部材２２が配設される場合は、所望により押圧付加保護板２８を配設してもよい。図１および図４に示すように、第一実施形態や第二実施形態における支持体３は波形部分を有していることから、押さえ部材２２の端部が当接する支持体３の波形部分に押圧付加保護板２８を嵌合させることができる。嵌合された押圧付加保護板２８は押さえ部材２２の端部に押圧され、その押圧による力が支持体３に伝わって外殻１２を押さえる力が働くこととなり、支持体３と外殻１２との接する境界線をさらに押しつけ、支持体３と外殻１２との固定度がさらに増す。一方、支持体３の当接部分は押さえ部材２２の端部からの力を受けるため、摩耗や損傷等を生じやすいが、押圧付加保護板２８が当該当接部分を保護することができる。
【００５７】
さらに、押さえ部材２２が配設される場合、所望により底板支持部材２５を配設することができる。第一実施形態や第四実施形態における底板支持部材２５は、図１、図２および図７に示すように、プロテクター底板２６の上面に配設された底板クランプ２７と押さえ部材２２の端部とを連接させることによってプロテクター底板２６を支持している。これにより、三次元方向に自由度を有する支持体３の可動と連動してプロテクター底板２６が可動するのを抑制する。また、第五実施形態における底板支持部材２５は、図８に示すように、プロテクター底板２６の上面と押さえ部材２２の端部とを連接させることによってプロテクター底板２６を支持し、三次元方向に自由度を有する支持体３の可動と連動してプロテクター底板２６が可動するのを抑制する。このような底板支持部材２５は、特に運搬時には効果的であり、振動などによってプロテクター底板２６が揺動して損傷してしまうのを抑制することができる。
【００５８】
なお、底板支持部材２５は適宜配設され、例えば、本実施形態に係るプロテクター支持構造２ａを備えた地下埋設用二重殻タンク１が地中に埋設されてプロテクター４とマンホールとが備えられた場合、プロテクター底板２６と支持体３とが安定することから、図２および図４に示すように、配設された底板支持部材２５を撤去することができる。また、地下埋設用二重殻タンク１に備えられたプロテクター支持構造２ａが底板支持部材２５を備えなくとも安定する場合、当該底板支持部材２５を備えない態様が選択される。
【００５９】
本実施形態に係るプロテクター支持構造２ａを備えた地下埋設用二重殻タンク１は、所望の搭載台とともに地下に埋設されるとともに、図９に示すように、プロテクター４が配設される。プロテクター４の上部周囲はコンクリートで固められるとともに、マンホールで蓋がされる。埋設された地下埋設用二重殻タンク１のプロテクター４には地中応力がかかり、プロテクター４と地下埋設用二重殻タンク１とを連接するプロテクター支持構造２ａにはプロテクター４自体の重荷とともに多方向からの力がかかるが、プロテクター支持構造２ａは三次元方向に自由度を有する弾性体を用いて形成されていることから作用力に対して可動し、外殻１２に負担をかけず、外殻１２が破損するのを防止することができる。
【００６０】
また、本実施形態における支持体（支持部材）３は継ぎ目を有さない環状に形成されているため、地中に染み込んだ雨水や地下水の内部への浸入を防止することができ、注油管や吸油管、通気管、液面計取付ノズル等の各種ノズルのフランジ１４を保護することができる。
【００６１】
なお、本発明に係る地下埋設用二重殻タンクのプロテクター支持部材、プロテクター支持構造、およびこれを備えた地下埋設用二重殻タンクは、前述した実施例に限定されるものではなく、適宜変更することができる。
【００６２】
例えば、プロテクターの平面形状が円形や楕円形の場合は、支持体（支持部材）や枠体の平面形状も合わせて円形や楕円形に形成してもよく、また、押さえ部材はプロテクターの中心付近に形成された固定台を中心に交差させた構成とする等してもよい。
【図面の簡単な説明】
【００６３】
【図１】本発明に係るプロテクター支持構造の第一実施形態を示すタンク長手方向に垂直な断面拡大図である。
【図２】本発明に係るプロテクター支持構造の実施形態を示すタンク上面図である。
【図３】第一実施形態に係るプロテクター支持構造であって異なる態様のプロテクター支持体である場合を示すタンク長手方向に垂直な断面拡大図である。
【図４】本発明に係るプロテクター支持構造の第二実施形態を示すタンク長手方向に垂直な断面図である。
【図５】本発明に係るプロテクター支持構造の第三実施形態を示すタンク長手方向に垂直な断面図である。
【図６】本発明に係るプロテクター支持構造の第三実施形態を示すタンク長手方向断面図である。
【図７】本発明に係るプロテクター支持構造の第四実施形態を示すタンク長手方向に垂直な断面拡大図である。
【図８】本発明に係るプロテクター支持構造の第五実施形態を示すタンク長手方向に垂直な断面拡大図である。
【図９】本実施形態に係るプロテクター支持構造を備えた地下埋設用二重殻タンクのプロテクター設置後のタンク上部拡大図である。
【符号の説明】
【００６４】
１  地下埋設用二重殻タンク
２ａ，２ｂ，２ｃ，２ｄ，２ｅ  プロテクター支持構造
３  支持体（プロテクター支持部材）
４  プロテクター
１１  内殻
１２  外殻
１３  気相部
１４  フランジ
２１  枠体
２２  押さえ部材
２３  固定台
２４  固定ボルト
２５  底板支持部材
２６  プロテクター底板
２７  底板クランプ
２８  押圧付加保護板
３１  弾性体
３２  Ｌ字平鋼板
３３  平鋼板
３４  平鋼板クランプ
３５  Ｌ字平鋼板クランプ
３６  固定弾性体
【図１】
0005265971.tif 000002
【図２】
0005265971.tif 000003
【図３】
0005265971.tif 000004
【図４】
0005265971.tif 000005
【図５】
0005265971.tif 000006
【図６】
0005265971.tif 000007
【図７】
0005265971.tif 000008
【図８】
0005265971.tif 000009
【図９】
0005265971.tif 000010